(57)【要約】 【課題】  半導体レーザチップからの出力の安定制御を行うことができる光ピックアップ装置およびそれを用いた情報記録再生装置を提供する。【解決手段】  光ピックアップ装置１は、光源２の半導体レーザチップ３から出射される光の信号処理を行う。光源２のから出射される光のうち主領域光は、調整手段５が設けられている光学部品４を通過し、ダイクロイックプリズム６を透過し、情報の記録または再生に用いられる。副領域光はダイクロイックプリズム６で反射し、フロントモニタ１１に検出され、検出信号を半導体レーザ装置にフィードバックすることによって半導体レーザチップ３からの出力の安定制御を行っている。フロントモニタ１１により多くの光を集めるために、光学部品４には調整手段５が設けられている。【選択図】      図１
2008146780.tif 000002
【特許請求の範囲】
【請求項１】
光を出射する光源と、
前記光源から出射され光記録媒体で反射され、情報の記録または再生に用いられる光を検出する光検出手段と、
前記光源から出射される光の一部を検出する出力制御用光検出手段と、
前記出力制御用光検出手段が検出する光量を増加させるように調整する調整手段と、
前記出力制御用光検出手段の検出出力に応答し、
前記光源から出射される光の出力を制御する制御手段とを含んで構成されることを特徴とする光ピックアップ装置。
【請求項２】
前記調整手段によって、
前記光源から出射される光を、前記出力制御用光検出手段に検出されるように、進行方向を変化させることを特徴とする請求項１に記載の光ピックアップ装置。
【請求項３】
前記調整手段によって、
前記光源から出射される光を屈折または回折させて、
前記光の進行方向を変化させることを特徴とする請求項２に記載の光ピックアップ装置。
【請求項４】
前記調整手段は、
前記光源から出射される光が通過する光学部品に施されている形状加工部分であることを特徴とする請求項１〜３のいずれか１つに記載の光ピックアップ装置。
【請求項５】
前記光学部品は、ホログラム素子であることを特徴とする請求項４に記載の光ピックアップ装置。
【請求項６】
前記光学部品は、前記光源を含んで構成される半導体レーザユニットに固定されていることを特徴とする請求項４または５に記載の光ピックアップ装置。
【請求項７】
前記光学部品の形状は略直方体であり、
前記形加工状部分は、前記略直方体の光源に当接する側とは反対側の一辺に沿った角部を切り落とした平面部分であることを特徴とする請求項４に記載の光ピックアップ装置。
【請求項８】
前記光学部品の形状は略直方体であり、
前記形状加工部分は、前記略直方体の光源に当接する側とは反対側の一辺に沿った角部を切り落とした曲面部分であることを特徴とする請求項４に記載の光ピックアップ装置。
【請求項９】
前記光学部品の形状は略直方体であり、
前記形状加工部分は、前記略直方体の光源に当接する側とは反対側の一辺に沿った角部近傍に設けられた回折格子であることを特徴とする請求項４に記載の光ピックアップ装置。
【請求項１０】
前記出力制御用光検出手段が検出する光は、情報の記録または再生に用いられない副領域光であることを特徴とする請求項１〜９のいずれか１つに記載の光ピックアップ装置。
【請求項１１】
前記光源から出射される光の一部を反射させ、その残りを透過させることによって、光を分離する光分離手段を、前記調整手段と前記出力制御用光検出手段との間に設けたことを特徴とする請求項１〜１０のいずれか１つに記載の光ピックアップ装置。
【請求項１２】
前記光分離手段は、ダイクロイックプリズムであることを特徴とする請求項１１に記載の光ピックアップ装置。
【請求項１３】
少なくとも２つ以上の光源を有し、
少なくともいずれか１つの前記光源から出射される光の一部を、前記出力制御用光検出手段が検出することを特徴とする請求項１〜１２のいずれか１つに記載の光ピックアップ装置。
【請求項１４】
請求項１〜１３のいずれか１つに記載の光ピックアップ装置が搭載されていることを特徴とする情報記録再生装置。
【発明の詳細な説明】
【技術分野】
【０００１】
本発明は、光ディスク等の情報記録媒体の情報を再生、記録または消去可能な光ピックアップ装置に関し、特にフロントモニタによって、半導体レーザチップから出射される光を検出し、随時半導体レーザユニットにフィードバックを行うことによって、半導体レーザチップからの光出射量の安定制御を行う光ピックアップ装置に関する。
【背景技術】
【０００２】
ＣＤ（Compact Disk）またはＤＶＤ（Digital Versatile Disk）といった光ディスク等の記録媒体に情報信号の記録を行う光ピックアップ装置には、半導体レーザ装置が搭載されている。半導体レーザ装置に備わっており、光を出射する光源である半導体レーザチップは、使用される環境温度の変動および経年変化などによって出力が変動するので、自動出力制御（Automatic Power Control；略称「ＡＰＣ」）回路によって半導体レーザチップの駆動電流が制御され、出力が一定に保たれる。ＡＰＣ回路によって半導体レーザチップからの出力を一定に保つ方式として、リアモニタ方式とフロントモニタ方式とが知られている。
【０００３】
リアモニタ方式は、半導体レーザチップから光記録媒体に向けて出射される光の方向と反対の方向（以下「リア方向」という）に出射される光を出力制御に利用する方式である。リア方向に出射される光は、半導体レーザ装置に備わる出力制御用光検出手段で検出され、出力制御用光検出手段からの検出出力に応答し、ＡＰＣ回路が半導体レーザチップの駆動電流を制御する信号を半導体レーザ装置に与え、その出力が一定になるように制御する。しかしながら、光記録媒体に対して情報を記録または再生するために光記録媒体の方向（以下「フロント方向」という）に出射される光に比較してリア方向に出射される光は光量が少ないので、半導体レーザチップの出力を制御するためには充分でない。
【０００４】
このため、フロント方向に出射される光を利用するフロントモニタ方式が広く使用されている。フロントモニタ方式は、半導体レーザから出射される光のうちフロント方向に出射される光の一部を出力制御に利用する方式である。
【０００５】
フロントモニタ方式を用いて光出力を制御する光ピックアップ装置は、たとえば特許文献１および２に開示されている。これらはプリズムに施される反射膜によって出射される光の一部をフロントモニタに入射させることによって半導体レーザチップからの出力の安定制御を行っている。
【０００６】
図８は、２つの光源を有した従来の光ピックアップ装置５０を簡略化して示す概略図である。図８の構成では、例えば、ＣＤ（Compact Disc）用光源５２およびＤＶＤ（      Digital Versatile Disc）用光源６４を有している。光ピックアップ装置５０は、光源５２および光源６４の２種類の光源から出射される異なる波長の光の信号処理を行う。ダイクロイックプリズム５６は２つの光学部品を貼り合わせた形状のプリズムであって、２つの光学部品の貼り合わせ接合面に、ある波長帯域の光を透過させて、残りの波長帯域の光を反射させる波長選択透過膜を形成したものである。
【０００７】
光源５２から出射される光のうち中心付近、つまり主領域の光は、ダイクロイックプリズム５６の波長選択透過膜面５６ｂを透過し、コリメートレンズ５７によって平行光となり、対物レンズ５８に入射して光ディスク５９に収束し、微小なスポットとして結像される。光ディスク５９によって反射した光は信号光として再び対物レンズ５８に戻り、コリメートレンズ５７、ダイクロイックプリズム５６の波長選択透過膜面５６ｂを通過した後ＯＰＩＣ（Optical Integrated Circuit）６０へと照射される。ＯＰＩＣ６０は、受光素子とその信号処理回路とを１つのチップに集積したものである。これによって光ディスク５９からの信号情報およびサーボ信号を検出し、情報の記録または再生を行う。一方、光源６４から出射される光のうち中心付近、つまり主領域の光は、ダイクロイックプリズム５６の波長選択透過膜面５６ｂで反射され、コリメートレンズ５７によって平行光となり、対物レンズ５８に入射して光ディスク５９に収束し、微小なスポットとして結像される。光ディスク５９によって反射した光は信号光として再び対物レンズ５８に戻り、コリメートレンズ５７、ダイクロイックプリズム５６の波長選択透過膜面５６ｂで反射された後ＯＰＩＣ（Optical Integrated Circuit）６８へと照射される。ＯＰＩＣ６８は、受光素子とその信号処理回路とを１つのチップに集積したものである。これによって同様に光ディスク５９からの信号情報およびサーボ信号を検出し、情報の記録または再生を行う。
【０００８】
このとき光源５２および６４の半導体レーザチップ５３および６５からの出力の安定制御を行うために、出射される光のうち信号処理に関係のない外郭の一部つまり副領域の光をフロントモニタ６１の検出面６２に入射し、検出信号を半導体レーザ装置にフィードバックすることによって半導体レーザチップ５３および６５からの出力の安定制御を行っている。出射される光のうち副領域の光を使用するのは、出射光を有効利用するためである。
【０００９】
半導体レーザチップ５３および６５からの出力の安定制御を確実に行うためには、フロントモニタ６１がより多くの光を検出する必要がある。そのためフロントモニタ６１の手前に集光レンズ６３を設置して、フロントモニタ６１の検出面６２がより多くの光を検出するように設計されている。
【００１０】
図９は、従来の光ピックアップ装置の光の経路を示す概略図である。レーザチップ５３から出射される光のうち、信号処理に使われる中心付近の光は、主領域光としてダイクロイックプリズム５６の波長選択透過膜面５６ｂを透過して光ディスクへ向かう。また信号処理に関係のない外郭の光の一部は、副領域光としてダイクロイックプリズム５６の波長選択透過膜面５６ｂの形成されていない箇所（図９ではプリズム同士が接合していない箇所５６ａ）によって反射され、集光レンズ６３を通過した後、フロントモニタ６１の検出面６２に集光される。
【００１１】
図１０は、従来の光ピックアップ装置の光の経路を示す概略図である。小型化およびコストダウンのために、集光レンズ６３は設けられていない。レーザチップ５３から出射される光のうち、信号処理に使われる中心付近の光は、主領域光としてダイクロイックプリズム５６の波長選択透過膜面５６ｂを透過して光ディスクへ向かう。また信号処理に関係のない外郭の光の一部は、副領域光としてダイクロイックプリズム５６の波長選択透過膜面５６ｂの形成されていない箇所（図１０ではプリズム同士が接合していない箇所５６ａ）によって反射され、フロントモニタ６１の検出面６２に入射する。集光レンズ６３を設けないことによって、光は放射状の発散状態でフロントモニタ６１の検出面６２に入射する。
【００１２】
図１１は、従来の光ピックアップ装置の光の経路を示す概略図である。レーザチップ５３から出射される光のうち、信号処理に使われる中心付近の光は、主領域光として光ディスクへ向かう。また信号処理に関係のない外郭の光の一部は、副領域光としてフロントモニタ６１の検出面６２に入射する。集光レンズ６３を設けないことによって、光は放射状の発散状態でフロントモニタ６１の検出面６２に入射する。
【００１３】
【特許文献１】特開２０００−２１００１号公報
【特許文献２】特開平１１−１４９６５９号公報
【発明の開示】
【発明が解決しようとする課題】
【００１４】
小型化を目的として、集光レンズ６３を省くことで、光は放射状の発散状態でフロントモニタ６１の検出面６２に入射される。集光レンズ６３が設けられていないとフロントモニタ６１に向かう光の一部がフロントモニタ６１の検出面６２で検出されなくなり、フロントモニタ６１の検出面６２で検出される光量が減少する。このことによって光出力を無駄にしており、光出力の利用効率が大きく低下する。光の検出量が減少する分、フロントモニタ６１の感度を上げることによって、光の検出量を補充しているが、検出感度を上げるために、高品質のフロントモニタ６１が必要となる。
【００１５】
本発明の目的は、集光レンズを設けない場合でも、フロントモニタが検出する光量を保ち、半導体レーザチップからの出力の安定制御を行うことができる光ピックアップ装置およびそれを用いた情報記録再生装置を提供することである。
【課題を解決するための手段】
【００１６】
本発明は、光を出射する光源と、
前記光源から出射され光記録媒体で反射され、情報の記録または再生に用いられる光を検出する光検出手段と、
前記光源から出射される光の一部を検出する出力制御用光検出手段と、
前記出力制御用光検出手段が検出する光量を増加させるように調整する調整手段と、
前記出力制御用光検出手段の検出出力に応答し、
前記光源から出射される光の出力を制御する制御手段とを含んで構成されることを特徴とする光ピックアップ装置である。
【００１７】
また本発明は、前記調整手段によって、
前記光源から出射される光を、前記出力制御用光検出手段に検出されるように、進行方向を変化させることを特徴とする。
【００１８】
また本発明は、前記調整手段によって、
前記光源から出射される光を屈折または回折させて、
前記光の進行方向を変化させることを特徴とする。
【００１９】
また本発明は、前記調整手段は、
前記光源から出射される光が通過する光学部品に施されている形状加工部分であることを特徴とする。
【００２０】
また本発明は、前記光学部品は、ホログラム素子であることを特徴とする。
また本発明は、前記光学部品は、前記光源を含んで構成される半導体レーザユニットに固定されていることを特徴とする。
【００２１】
また本発明は、前記光学部品の形状は略直方体であり、
前記形加工状部分は、前記略直方体の光源に当接する側とは反対側の一辺に沿った角部を切り落とした平面部分であることを特徴とする。
【００２２】
また本発明は、前記光学部品の形状は略直方体であり、
前記形状加工部分は、前記略直方体の光源に当接する側とは反対側の一辺に沿った角部を切り落とした曲面部分であることを特徴とする。
【００２３】
また本発明は、前記光学部品の形状は略直方体であり、
前記形状加工部分は、前記略直方体の光源に当接する側とは反対側の一辺に沿った角部近傍に設けられた回折格子であることを特徴とする。
【００２４】
また本発明は、前記出力制御用光検出手段が検出する光は、情報の記録または再生に用いられない副領域光であることを特徴とする。
【００２５】
また本発明は、前記光源から出射される光の一部を反射させ、その残りを透過させることによって、光を分離する光分離手段を、前記調整手段と前記出力制御用光検出手段との間に設けたことを特徴とする。
【００２６】
また本発明は、前記光分離手段は、ダイクロイックプリズムであることを特徴とする。
また本発明は、少なくとも２つ以上の光源を有し、
少なくともいずれか１つの前記光源から出射される光の一部を、前記出力制御用光検出手段が検出することを特徴とする。
【００２７】
また本発明は、上記の光ピックアップ装置が搭載されていることを特徴とする情報記録再生装置である。
【発明の効果】
【００２８】
本発明によれば、光ピックアップ装置において、光源から出射される光は、一部は光検出手段に検出されて情報の記録または再生に用いられ、一部は出力制御用光検出手段に検出される。出力制御用光検出手段に検出される光量は、調整手段によって増加させるように調整され、検出光量に応答して光源から出射される光の出力は制御手段によって制御される。これによって出力制御用光検出手段の感度を上げることなく光源から出射される光量を一定に安定制御することが可能になる。
【００２９】
また本発明によれば、調整手段によって、光源から出射される光を、出力制御用光検出手段に検出されるように、進行方向を変化させる。光の進行方向を変化させることによって出力制御用光検出手段に検出される光量を増加させるので、光を効率よく出力制御用光検出手段に集めることができる。
【００３０】
また本発明によれば、調整手段によって、光源から出射される光を屈折または回折させて、光の進行方向を変化させる。これによって光を効率よく出力制御用光検出手段に集めることができる。
【００３１】
また本発明によれば、調整手段は、光源から出射される光が通過する光学部品に施されている形状加工部分である。これによって光ピックアップ装置の省スペース化が可能になる。
【００３２】
また本発明によれば、光学部品は、ホログラム素子である。これによって光ピックアップ装置の小型化が可能になる。
【００３３】
また本発明によれば、光学部品は、光源を含んで構成される半導体レーザユニットに固定されている。これによって光学部品と半導体レーザユニットとが、単一部品に一体化されるので、装置組立時の組立部品点数が削減され、組立作業能率を向上することができる。また光ピックアップ装置の小型化が可能になる。
【００３４】
また本発明によれば、光学部品の形状は略直方体であり、光学部品に施されている形状加工部分は、前記略直方体の光源に当接する側とは反対側の一辺に沿った角部を切り落とした平面部分である。これによって集光手段を設けることなく出力制御用光検出手段に検出される光の光量を増加させることが可能になる。
【００３５】
また本発明によれば、光学部品の形状は略直方体であり、光学部品に施されている形状加工部分は、前記略直方体の光源に当接する側とは反対側の一辺に沿った角部を切り落とした曲面部分である。これによって集光手段を設けることなく出力制御用光検出手段に検出される光の光量を増加させることが可能になる。
【００３６】
また本発明によれば、光学部品の形状は略直方体であり、光学部品に施されている形状加工部分は、前記略直方体の光源に当接する側とは反対側の一辺に沿った角部近傍に設回折格子である。これによって集光手段を設けることなく出力制御用光検出手段に検出される光の光量を増加させることが可能になる。
【００３７】
また本発明によれば、出力制御用光検出手段が検出する光は、情報の記録または再生に用いられない副領域光である。これによって光源から出射され情報の記録または再生に用いられる光の量を減少させることがなく、光の利用効率を高めることができる。
【００３８】
また本発明によれば、光ピックアップ装置は、光の一部を反射させ、その残りを透過させることによって光を分離する光分離手段を有する。これによって反射光および透過光を、それぞれ情報の記録または再生に用いられない光および情報の記録または再生に用いられる光として、有効に利用することができる。
【００３９】
また本発明によれば、光分離手段は、ダイクロイックプリズムである。ダイクロイックプリズムとは、ある波長帯域の光を透過させて、残りの波長帯域の光を反射させる波長選択透過膜面を有するプリズムである。
【００４０】
また本発明によれば、光ピックアップ装置は、少なくとも２つ以上の光源を有し、少なくともいずれか１つの光源から出射される光の一部を、出力制御用光検出手段が検出する。これによってたとえば波長の異なる光を放射することのできる複数の光源を含むことができるので、情報の記録または再生に用いられる光の波長が異なるたとえばＣＤおよびＤＶＤなどの２種類の光記録媒体に対応できる光ピックアップ装置を提供することが可能になる。
【００４１】
また本発明によれば、情報記録再生装置には上記の効果を備えるいずれかの光ピックアップ装置が搭載される。光ピックアップ装置の光出力の安定性および精度が高いので、情報記録再生装置の性能も向上する。
【発明を実施するための最良の形態】
【００４２】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００４３】
図１は、本発明の第１実施形態である光ピックアップ装置１を示す概略図である。光ピックアップ装置１は、光源２の半導体レーザチップ３から出射される光の信号処理を行う。光源２の半導体レーザチップ３から出射される光のうち中心付近、つまり主領域の光は、光源２と一体化された光学部品４を通過し、ダイクロイックプリズム６の波長選択透過膜面６ｂを透過し、コリメートレンズ７によって平行光となり、対物レンズ８に入射して光ディスク９に収束して微小なスポットとして結像される。光ディスク９によって反射した光は信号光として再び対物レンズ８に戻り、コリメートレンズ７、ダイクロイックプリズム６の波長選択透過膜面６ｂ、および光学部品４を通過した後ＯＰＩＣ（Optical   Integrated Circuit）１０へと照射される。ＯＰＩＣ１０は、受光素子とその信号処理回路とを１つのチップに集積したものである。これによって光ディスク８からの信号情報およびサーボ信号を検出し、情報の記録または再生を行う。このとき半導体レーザチップ３からの出力の安定制御を行うために、出射される光のうち信号処理に関係のない外郭の一部つまり副領域の光をフロントモニタ１１に入射し、検出信号を半導体レーザ装置にフィードバックすることによって半導体レーザチップ３からの出力の安定制御を行っている。出射される光のうち副領域の光を使用するのは、出射光を有効利用するためである。半導体レーザチップ３からの出力の安定制御を確実に行うためには、フロントモニタ１１に、より多くの光が検出される必要がある。フロントモニタ１１により多くの光を集めるために、光学部品４に調整手段５を設けている。
【００４４】
図２は、光学部品４付近の拡大図である。図２においては、図１に示す光ピックアップ装置１のうち、光源２、光学部品４、ダイクロイックプリズム６およびフロントモニタ１１についてのみ拡大して示す。
【００４５】
光源２の半導体レーザチップ３は、たとえば元素の周期律表に規定されるＩＩＩ族元素とＶ族元素とを含む化合物半導体で構成される。半導体レーザチップ３から出射される光は、その大半がダイクロイックプリズム６の波長選択透過膜面６ｂを透過後にコリメートレンズ７に入射され、情報の記録または再生に用いられる。しかしながら半導体レーザチップ３から出射される光の拡散角度は、コリメートレンズ７の直径よりも大きいために、コリメートレンズ７の周縁部外方に発散する光が存在する。この発散光は、情報の記録または再生に用いられることのない光である。したがって発散光を半導体レーザチップ３からの光出力制御に利用することによって、コリメートレンズ７に入射され情報の記録または再生に用いられる光の利用効率低下を防止することができる。
【００４６】
情報の記録または再生に用いられることのない光を効率よくフロントモニタ１１に集光するために、光学部品４には調整手段５が設けられている。光学部品４は、略直方体状のホログラム素子であり、調整手段５は、光源２に当接する側とは反対側の一辺に沿った角部を切り落とした平面部分である。
【００４７】
半導体レーザチップ３から出射される光のうち、信号処理に使われる中心付近の光は、主領域光２１として、ダイクロイックプリズム６を透過して光ディスクへ向かう。また信号処理に関係のない外郭の光の一部は、副領域光２２としてフロントモニタ１１の検出面１２に入射する。副領域光２２のうち、調整手段５を通過しない光２２ａは、ダイクロイックプリズム６の面６ａにおいて反射され、フロントモニタ１１の検出面１２に入射する。調整手段５を通過する光２２ｂは、屈折の法則によって進路を光軸中心側に向きを変えて、ダイクロイックプリズム６の面６ａにおいて反射され、フロントモニタ１１の検出面１２に入射する。光２２ｂは、調整手段５が設けられていなければ、ダイクロイックプリズム６の面６ａで反射されることがないので、検出面１２には入射しなかった光となるはずである。調整手段５が設けられることによって、ダイクロイックプリズム６の面６ａで反射され、検出面１２が検出する光量が増加するのである。
【００４８】
調整手段５の平面の角度を、平面を通過する光と平面を通過しない光とがフロントモニタ１１の検出面１２において重なり合うような角度に設定される。具体的には、光学部品４の短手方向の一辺が切り落とされた平面部分に相当する。これによってフロントモニタ１１の検出面１２において、受光量が増大する。
【００４９】
図３は、本発明の第２実施形態である光ピックアップ装置１を示す概略図である。図３では、光源２、光学部品４およびフロントモニタ１１についてのみ拡大して示している。
【００５０】
本実施形態では、第１実施形態である光ピックアップ装置１からダイクロイックプリズム６を省いた構成となっている。
【００５１】
光学部品４には、第１実施形態と同様な調整手段５が設けられている。半導体レーザチップ３から出射される光のうち、信号処理に使われる中心付近の光は、主領域光２１として光ディスクへ向かう。また信号処理に関係のない外郭の光の一部は、副領域光２２としてフロントモニタ１１の検出面１２に入射する。副領域光２２のうち、調整手段５よりも光軸中心寄りを通過する光２２ａは、調整手段５を通過しないが、フロントモニタ１１の検出面１２には入射する。調整手段５を通過する光２２ｂは、屈折の法則によって進路を光軸中心側に向きを変えて、フロントモニタ１１の検出面１２に入射する。光２２ｂは、調整手段５が設けられていなければ、検出面１２には入射しなかった光である。調整手段５が設けられることによって、検出面１２が検出する光量は増加する。
【００５２】
調整手段５の形状は、第１実施形態からダイクロイックプリズム６を省いただけであるので、第１実施形態と同様の思想で製造可能である。
【００５３】
図４は、本発明の第３実施形態である光ピックアップ装置１を示す概略図である。図４では、光ピックアップ装置１のうち、光源２、光学部品４およびフロントモニタ１１についてのみ拡大して示している。
【００５４】
本実施形態では、図３に示した第２実施形態と、調整手段５の形状のみが異なっている。光学部品４は、略直方体状のホログラム素子であり、調整手段５は、光源２に当接する側とは反対側の一辺に沿った角部を、外方に凸となる曲面とした曲面部分である。
【００５５】
半導体レーザチップ３から出射される光のうち、信号処理に使われる中心付近の光は、主領域光２１として光ディスクへ向かう。また信号処理に関係のない外郭の光の一部は、副領域光２２としてフロントモニタ１１の検出面１２に入射する。副領域光２２のうち、調整手段５よりも光軸中心寄りを通過する光２２ａは、調整手段５を通過しないが、フロントモニタ１１の検出面１２には入射する。調整手段５を通過する光２２ｂは、屈折の法則によって進路を光軸中心側に向きを変えて、フロントモニタ１１の検出面１２に入射する。光２２ｂは、調整手段５が設けられていなければ、検出面１２には入射しなかった光である。調整手段５が設けられることによって、検出面１２が検出する光量は増加する。
【００５６】
調整手段５の形状は、上記のように曲面状である。この曲面部分は、光学部品４を短手方向に垂直な断面形状が円弧状である。これによってフロントモニタ１１の検出面１２において、受光量が増大する。
【００５７】
図５は、本発明の第４実施形態である光ピックアップ装置１を示す概略図である。図５では、光ピックアップ装置１のうち、光源２、光学部品４およびフロントモニタ１１についてのみ拡大して示している。
【００５８】
本実施形態では、図３，４に示した第２，３実施形態と、調整手段５の構成のみが異なっている。光学部品４は、略直方体状のホログラム素子であり、調整手段５は、光源２に当接する側とは反対側の一辺に沿った角部近傍に設けられた回折格子である。半導体レーザチップ３から出射される光のうち、信号処理に使われる中心付近の光は、主領域光２１として光ディスクへ向かう。また信号処理に関係のない外郭の光の一部は、副領域光２２としてフロントモニタ１１の検出面１２に入射する。副領域光２２のうち、調整手段５を通過しない光２２ａはフロントモニタ１１の検出面１２に入射する。副領域光２２のうち、調整手段５よりも光軸中心寄りを通過する光２２ａは、調整手段５を通過しないが、フロントモニタ１１の検出面１２には入射する。調整手段５を通過する光２２ｂは、屈折の法則によって進路を光軸中心側に向きを変えて、フロントモニタ１１の検出面１２に入射する。光２２ｂは、調整手段５が設けられていなければ、検出面１２には入射しなかった光である。調整手段５が設けられることによって、検出面１２が検出する光量は増加する。
【００５９】
調整手段５は、上記のように光学部品４の角部分近傍に設けられている回折格子である。この回折格子を通過する光と回折格子を通過しない光とがフロントモニタ１１の検出面１２において重なり合うように回折格子の配置位置を設定する。具体的には、光学部品４の短手方向の一辺に回折格子を設ける。これによってフロントモニタ１１の検出面１２において、受光量が増大する。
【００６０】
図６は、本発明の第５実施形態である光ピックアップ装置１３を示す概略図である。光ピックアップ装置１３には、第１実施形態の光ピックアップ装置１に、さらにもう１つ光源１４を追加した構成である。
【００６１】
光源２は例えば、ＣＤの記録・再生用光源であり、光源１４は、例えば、ＤＶＤの記録・再生用光源である。光ピックアップ装置１３は、ＣＤ用光源２およびＤＶＤ用光源１４の２種類の光源の半導体レーザチップ３および１５から出射される異なる波長の光の信号処理を行うことができる。
【００６２】
ＣＤ用光源２の半導体レーザチップ３から出射される光のうち中心付近、つまり主領域の光は、調整手段５が設けられている光学部品４を通過し、ダイクロイックプリズム６の波長選択透過膜面６ｂを透過し、コリメートレンズ７によって平行光となり、対物レンズ８に入射して光ディスク９に収束して微小なスポットとして結像される。光ディスク９によって反射した光は信号光として再び対物レンズ８に戻り、コリメートレンズ７、ダイクロイックプリズム６の波長選択透過膜面６ｂ、および光学部品４を通過した後ＯＰＩＣ１０へと照射される。
【００６３】
ＤＶＤ用光源１４の半導体レーザチップ１５から出射される光のうち主領域の光は、調整手段１７が設けられている光学部品１６を通過し、ダイクロイックプリズム６の波長選択透過膜面６ｂで反射し、コリメートレンズ７によって平行光となり、対物レンズ８に入射して光ディスク９に収束して微小なスポットとして結像される。光ディスク９によって反射した光は信号光として再び対物レンズ８に戻り、コリメートレンズ７を通り、ダイクロイックプリズム６の波長選択透過膜面６ｂで反射し、光学部品１６を通過した後ＯＰＩＣ１８へと照射される。
【００６４】
このとき半導体レーザチップ３および１５からの出力の安定制御を行うため、出射される光のうち信号処理に関係のない副領域の光をフロントモニタ１１に入射し、検出信号を各半導体レーザ装置にフィードバックすることによって半導体レーザチップ３および１５からの出力の安定制御を行っている。出射される光のうち副領域の光を使用するのは、出射光を有効利用するためである。半導体レーザチップ３および１５からの出力の安定制御を確実に行うためには、フロントモニタ１１に、より多くの光が検出される必要がある。フロントモニタ１１により多くの光を集めるために、光学部品４および１６には調整手段５および１７が設けられている。
【００６５】
調整手段５，１７は、上記のような平面部分、曲面部分、回折格子のいずれで実現されていてもよい。調整手段５，１７が同じ形状であってもよいし、異なる形状であってもよい。
【００６６】
調整手段５，１７を設けることで、フロントモニタ１１の検出面１２において、受光量を増加させることができる。
【００６７】
図７は、本発明の第６実施形態である光ピックアップ装置１９を示す概略図である。本実施形態では、第２実施形態に、さらに調整手段３１およびフロントモニタ３２を追加した構成である。図７では、光ピックアップ装置１９のうち、光源２、光学部品４およびフロントモニタ１１，３２についてのみ拡大して示している。
【００６８】
光学部品４は、略直方体状のホログラム素子であり、調整手段５，３１は、光学部品４の長手方向両端に設けられており、上記のような平面部分、曲面部分、回折格子のいずれで実現されていてもよい。調整手段５，３１が同じ形状であってもよいし、異なる形状であってもよい。
【００６９】
半導体レーザチップ３から出射される光のうち、信号処理に使われる中心付近の光は、主領域光２１として光ディスクへ向かう。また信号処理に関係のない外郭の光の一部は、副領域光２２および２３としてフロントモニタ１１および３２の検出面１２および３３に入射する。副領域光２２および２３のうち、調整手段５および３１を通過しない光２２ａおよび２３ａはフロントモニタ１１および３２の検出面１２および３３にそれぞれ入射する。調整手段５および３１を通過する光２２ｂおよび２３ｂは、屈折の法則によって進路を光軸中心側に向きを変えて、フロントモニタ１１および３２の検出面１２および３３に入射する。光２２ｂおよび２３ｂは、調整手段５および３１が設けられていなければ、検出面１２および３３には入射しなかった光である。調整手段５および３１が設けられることによって、検出面１２および３３が検出する光量は増加する。
【００７０】
本発明の他の実施形態は、上記の第１〜第６実施形態のいずれか１つの光ピックアップ装置を備え、この光ピックアップ装置によってＣＤ、ＤＶＤなどの情報記録媒体の記録、再生を行う情報記録再生装置である。情報記録再生装置は、備える光ピックアップ装置の光出力の安定性および精度が高いので、情報記録再生装置自体の性能も向上する。
【図面の簡単な説明】
【００７１】
【図１】本発明の第１実施形態である光ピックアップ装置１を示す概略図である。
【図２】光学部品４付近の拡大図である。
【図３】本発明の第２実施形態である光ピックアップ装置１を示す概略図である。
【図４】本発明の第３実施形態である光ピックアップ装置１を示す概略図である。
【図５】本発明の第４実施形態である光ピックアップ装置１を示す概略図である。
【図６】本発明の第５実施形態である光ピックアップ装置１を示す概略図である。
【図７】本発明の第６実施形態である光ピックアップ装置１を示す概略図である。
【図８】従来の光ピックアップ装置５０を示す概略図である。
【図９】従来の光ピックアップ装置の光の経路を示す概略図である。
【図１０】従来の光ピックアップ装置の光の経路を示す概略図である。
【図１１】従来の光ピックアップ装置の光の経路を示す概略図である。
【符号の説明】
【００７２】
１，１３  光ピックアップ装置
２，１４  光源
３，１５  半導体レーザチップ
４，１６  光学部品
５，１７，３１  調整手段
６  ダイクロイックプリズム
６ｂ  波長選択透過膜面
７  コリメートレンズ
８  対物レンズ
９  光ディスク
１０，１８  ＯＰＩＣ
１１，３２  フロントモニタ
１２，３３  検出面
【図１】
2008146780.tif 000003
【図２】
2008146780.tif 000004
【図３】
2008146780.tif 000005
【図４】
2008146780.tif 000006
【図５】
2008146780.tif 000007
【図６】
2008146780.tif 000008
【図７】
2008146780.tif 000009
【図８】
2008146780.tif 000010
【図９】
2008146780.tif 000011
【図１０】
2008146780.tif 000012
【図１１】
2008146780.tif 000013